(57)【要約】【課題】  本発明は、ラベルの突出量に影響を与えることなく、印字機構による印字位置をラベルの全長に亘って設定することができる剥離装置を提供することを課題とする。【解決手段】  ラベル検出部１６によってラベル１の先端が検出されると、ラベル検出部１６によってラベル１の先端が検出されてからラベル送り出し調整ボリューム２６によって設定された第１搬送量分搬送された時に駆動モータ１７の駆動による帯状台紙２の搬送を停止させると共に、ラベル検出部１６によってラベル１の除去が検出されると、駆動モータ１７の駆動による帯状台紙２の搬送を再開させ、ラベル検出部１６によってラベル１の除去が検出されてから停止位置調整ボリューム３０によって設定された第２搬送量分搬送された時に駆動モータ１７の駆動による帯状台紙２の搬送を停止させる。【選択図】        図３
2006306467.tif 000002
【特許請求の範囲】
【請求項１】
ラベルが間隔をおいて仮着された帯状台紙から前記ラベルを剥離する剥離装置であって、
前記ラベルが間隔をおいて仮着された前記帯状台紙を搬送する搬送手段と、
該搬送手段によって搬送される前記帯状台紙から前記ラベルを剥離する剥離手段と、
該剥離手段によって剥離された前記ラベルの先端および除去を検出するラベル検出手段と、
前記ラベルの第１搬送量を設定するラベル送り出し調整ボリュームと、
前記ラベルの第２搬送量を設定する停止位置調整ボリュームと、
前記搬送手段による前記帯状台紙の搬送の停止および再開のタイミングを制御するタイミング制御手段と、
該タイミング制御手段に前記搬送手段による前記帯状台紙の搬送の再開を指示する搬送再開指示手段とを具備し、
前記タイミング制御手段は、前記ラベル検出手段によって前記ラベルの先端が検出されると、前記ラベル検出手段によって前記ラベルの先端が検出されてから前記ラベル送り出し調整ボリュームによって設定された第１搬送量分搬送された時に前記搬送手段による前記帯状台紙の搬送を停止させると共に、前記ラベル検出手段によって前記ラベルの除去が検出されると、前記搬送手段による前記帯状台紙の搬送を再開させ、前記ラベル検出手段によって前記ラベルの除去が検出されてから前記停止位置調整ボリュームによって設定された第２搬送量分搬送された時に前記搬送手段による前記帯状台紙の搬送を停止させることを特徴とする剥離装置。
【請求項２】
前記帯状台紙に仮着された前記ラベルに印字を施す印字手段を具備し、
前記搬送再開指示手段は、前記印字手段による印字動作に連動して前記タイミング制御手段に前記搬送手段による前記帯状台紙の搬送の再開を指示することを特徴とする請求項１記載の剥離装置。
【発明の詳細な説明】
【技術分野】
【０００１】
本発明は、ラベルが間隔をおいて仮着された帯状台紙からラベルを剥離する剥離装置に関し、特に日付等を印字するスタンプ等からなる印字機構を備えた剥離装置に関する。
【背景技術】
【０００２】
従来の剥離装置としては、例えば、ラベルが間隔をおいて仮着された帯状台紙と、帯状台紙の搬送およびその停止を行う駆動機構と、帯状台紙の搬送に伴って、帯状台紙からラベルを剥離する剥離機構と、剥離機構から突出した状態で供給されたラベルの検出を行うラベル検出部と、日付等を印字するスタンプ等からなる印字機構とを備えた構造のものが知られている。
【０００３】
駆動機構によって帯状台紙を搬送することでラベルを剥離機構に搬送し、この剥離機構において、帯状台紙がラベルから離間する方向に折り返される。帯状台紙が折り返されることにより、ラベルがその搬送方向前方側から順次剥離され、ラベルが所定長剥離された際に、帯状台紙の搬送を停止することにより、ラベルを帯状台紙から突出した状態で供給するようになっている。印字機構によるラベルへの印字は、帯状台紙の搬送が停止されている時に、次に供給するラベルに印字を行う。そして、作業者が供給されたラベルを除去すると、ラベルが除去されたことが、ラベル検出部によって検出され、このラベル検出信号に基づいて、再び駆動機構による帯状台紙の搬送が開始され、印字機構によって印字が施された次のラベルが供給される。
【０００４】
このような剥離装置おいては、ラベルのサイズ等によって印字位置が異なるため、印字機構による印字位置を調整する必要があり、ラベルの送り出し量、すなわちラベル検出部によってラベルを検出してから帯状台紙の搬送を停止するまでの距離を調整するラベル送り出し調整ボリュームを設け、印字機構による印字位置をラベル連続体の搬送方向で調整可能にしたものや、印字機構が取り付けられた架台に剥離装置を載置することにより、剥離装置と印字機構との相対位置をラベル連続体の搬送方向にずらすことを可能にし、印字機構による印字位置をラベル連続体の搬送方向で調整可能にしたものが提案されている（例えば、特許文献１参照）。
【０００５】
しかしながら、ラベル送り出し調整ボリュームにより、印字機構による印字位置のみをラベル連続体の搬送方向で調整可能にした場合には、ラベルの突出量が作業性とは無関係に、すなわち印字位置に応じて定まってしまうため、印字位置によっては、ラベルの突出量が短すぎたり、長すぎたりして作業性が低下してしまう恐れがあるという問題点があった。
【０００６】
また、剥離装置と印字機構との相対位置をラベル連続体の搬送方向にずらすことにより、印字機構による印字位置をラベル連続体の搬送方向で調整可能にした場合には、剥離装置と印字機構との相対位置をラベル連続体の搬送方向にずらすための調整機構が必要になるため、装置が複雑化してしまうと共に、印字機構における調整機構の調整範囲よりもラベルが長い場合には、ラベルの全長に亘って印字位置を設定することができないという問題点があった。
【特許文献１】特開平９−１５６６２３号公報
【発明の開示】
【発明が解決しようとする課題】
【０００７】
本発明は斯かる問題点に鑑みてなされたものであり、その目的とするところは、剥離装置と印字機構との相対位置をラベル連続体の搬送方向にずらすための調整機構を必要せず、ラベルの突出量に影響を与えることなく、印字機構による印字位置をラベルの全長に亘って設定することができる剥離装置を提供する点にある。
【課題を解決するための手段】
【０００８】
本発明は上記課題を解決すべく、以下に掲げる構成とした。
請求項１記載の発明の要旨は、ラベルが間隔をおいて仮着された帯状台紙から前記ラベルを剥離する剥離装置であって、前記ラベルが間隔をおいて仮着された前記帯状台紙を搬送する搬送手段と、該搬送手段によって搬送される前記帯状台紙から前記ラベルを剥離する剥離手段と、該剥離手段によって剥離された前記ラベルの先端および除去を検出するラベル検出手段と、前記ラベルの第１搬送量を設定するラベル送り出し調整ボリュームと、前記ラベルの第２搬送量を設定する停止位置調整ボリュームと、前記搬送手段による前記帯状台紙の搬送の停止および再開のタイミングを制御するタイミング制御手段と、該タイミング制御手段に前記搬送手段による前記帯状台紙の搬送の再開を指示する搬送再開指示手段とを具備し、前記タイミング制御手段は、前記ラベル検出手段によって前記ラベルの先端が検出されると、前記ラベル検出手段によって前記ラベルの先端が検出されてから前記ラベル送り出し調整ボリュームによって設定された第１搬送量分搬送された時に前記搬送手段による前記帯状台紙の搬送を停止させると共に、前記ラベル検出手段によって前記ラベルの除去が検出されると、前記搬送手段による前記帯状台紙の搬送を再開させ、前記ラベル検出手段によって前記ラベルの除去が検出されてから前記停止位置調整ボリュームによって設定された第２搬送量分搬送された時に前記搬送手段による前記帯状台紙の搬送を停止させることを特徴とする剥離装置に存する。
また請求項２記載の発明の要旨は、前記帯状台紙に仮着された前記ラベルに印字を施す印字手段を具備し、前記搬送再開指示手段は、前記印字手段による印字動作に連動して前記タイミング制御手段に前記搬送手段による前記帯状台紙の搬送の再開を指示することを特徴とする請求項１記載の剥離装置に存する。
【発明の効果】
【０００９】
本発明の剥離装置は、ラベル検出手段によってラベルの先端が検出されると、ラベル検出手段によってラベルの先端が検出されてからラベル送り出し調整ボリュームによって設定された第１搬送量分搬送された時に搬送手段による帯状台紙の搬送を停止させると共に、ラベル検出手段によってラベルの除去が検出されると、搬送手段による帯状台紙の搬送を再開させ、ラベル検出手段によってラベルの除去が検出されてから停止位置調整ボリュームによって設定された第２搬送量分搬送された時に搬送手段による帯状台紙の搬送を停止させるように構成することにより、ラベル送り出し調整ボリュームを調整してラベルの突出量を設定した上で、停止位置調整ボリュームを調整してラベルを任意の位置に停止させるように設定することができるため、剥離装置と印字機構との相対位置をラベル連続体の搬送方向にずらすための調整機構を必要せず、ラベルの突出量に影響を与えることなく、印字機構による印字位置をラベル長の全域に亘って設定することができるという効果を奏する。
【発明を実施するための最良の形態】
【００１０】
以下、本発明の実施の形態を図面に基づいて詳細に説明する。
【００１１】
図１は、本発明に係る剥離装置の実施の形態の構成を示す概略構成図であり、図２は、本発明に係る剥離装置の実施の形態の外観構成を示す斜視図であり、図３は、図１に示す駆動モータの駆動を制御する制御部の構成を示す図である。
【００１２】
本実施の形態の剥離装置１０は、図１を参照すると、ラベル１が帯状台紙２に所定間隔で仮着されているロール状のラベル連続体３が装着される用紙供給軸１１と、帯状台紙２を挟持して搬送およびその停止を行う第１搬送ローラ１２および第２搬送ローラ１３と、帯状台紙２からラベル１を剥離する剥離板１４と、ラベル連続体３にたるみを付けないように剥離板１４にラベル連続体３を押圧する押圧ローラ１５と、剥離板１４から突出された状態のラベル１の検出を行うラベル検出部１６と、第１搬送ローラ１２を回転させる駆動モータ１７と、駆動モータ１７の駆動を制御する制御部１８と、ラベル１に印字を行うスタンプ２８とからなる。なお、図１中の符号１９は、ラベル連続体３を剥離板１４に向けて案内するガイドローラであり、符号２０は、ラベル１が剥離された帯状台紙２を剥離板１４から第１搬送ローラ１２および第２搬送ローラ１３に案内するガイドローラである。
【００１３】
ラベル１の供給は、駆動モータ１７によって第１搬送ローラ１２を回転駆動させ、ラベル１が剥離された帯状台紙２を第１搬送ローラ１２と第２搬送ローラ１３との間に挟持して装置外に向けて搬送することで、ラベル連続体３を用紙供給軸１１から剥離板１４に搬送する。剥離板１４に搬送されたラベル連続体３は、剥離板１４において帯状台紙２がラベル１から離間する方向に折り返されることにより、ラベル１がその搬送方向前方側から順次剥離され、ラベル１が搬送方向の所定位置まで剥離された際に、帯状台紙２（ラベル連続体３）の搬送を停止することにより、ラベル１を帯状台紙２から突出した状態に保持するようになっている。
【００１４】
また、日付等を印字する印字機構としてスタンプ２８が帯状台紙２（ラベル連続体３）の搬送経路に上下動可能に設けられており、スタンプ２８を手操作で押し下げることによって、帯状台紙２に仮着されているラベル１に印字が行われる。スタンプ２８の上下動は、上位置スイッチ３１および下位置スイッチ３２によって監視されるように構成されている。すなわち、スタンプ２８は、外部から力が作用しない状態では、図示しないバネ等の付勢手段よって、上位置スイッチ３１が押下される上位置に配置される。また、外部から力が作用して、スタンプ２８の印字面が帯状台紙２に仮着されているラベル１に到達した状態では、下位置スイッチ３２が押下される下位置に配置される。
【００１５】
図２は、剥離装置１０の外観構成を示しており、筐体２１の上面には、上面カバー２２が、筐体２１の前面には、前面カバー２３がそれぞれ設けられている。上面カバー２２には、スタンプ２８を上下動可能に保持するスタンプフォルダ２９と、押圧ローラ１５およびガイドローラ１９とが取り付けられており、上面カバー２２の解放時に押圧ローラ１５およびガイドローラ１９が上方に退避する構成となっている。また、前面カバー２３には、第２搬送ローラ１３、ラベル検出部１６およびガイドローラ２０が取り付けられており、前面カバー２３の解放時に第２搬送ローラ１３、ラベル検出部１６およびガイドローラ２０が前方に退避する構成となっている。
【００１６】
また、筐体２１の前面には、帯状台紙２が排出される帯状台紙排出口２４と、電源スイッチ２５と、ラベル１の突出量を決める第１搬送量を設定するラベル送り出し調整ボリューム２６と、停止位置、すなわち印字機構による印字位置を決める第２搬送量を設定する停止位置調整ボリューム３０とが設けられていると共に、筐体２１の前面の両サイドに表示部２７が設けられている。表示部２７は、色および点滅表示等の表示形態によって装置の状態を表示する表示手段であり、例えば、ＲＧＢの発光素子を有する多色発光ＬＥＤ等の発光素子が用いられる。
【００１７】
制御部１８は、図３を参照すると、ラベル検出部１６、ラベル送り出し調整ボリューム２６、停止位置調整ボリューム３０、上位置スイッチ３１および下位置スイッチ３２に接続され、駆動モータ１７を駆動させるタイミングを制御するタイミング制御部３３と、タイミング制御部３３のタイミング制御に基づいて駆動モータ１７を駆動させる駆動制御部３４とからなる。
【００１８】
次に、本実施の形態の動作について図４および図５を参照して詳細に説明する。
図４は、本発明に係る剥離装置の実施の形態の動作を説明するためのフローチャートであり、図５は、図２に示す停止位置調整ボリュームによって設定される停止位置を説明するための説明図である。
【００１９】
タイミング制御部３３は、ラベル検出部１６によってラベル１が検出されず、ラベル検出部１６からのラベル検出信号が入力されない状態では、駆動制御部３４に駆動信号を出力し、駆動制御部３４は、タイミング制御部３３からの駆動信号に基づいて駆動モータ１７を駆動して第１搬送ローラ１２を回転させ、帯状台紙２を搬送する（ステップＡ１）。
【００２０】
帯状台紙２は、剥離板１４においてラベル１から離間する方向に折り返され、ラベル１がその搬送方向前方側から順次剥離され、ラベル１を剥離板１４（帯状台紙２）から突出する。
【００２１】
ラベル検出部１６は、ラベル１の先端の通過を監視しており（ステップＡ２）、剥離板１４（帯状台紙２）から突出したラベル１の先端を検出すると、ラベル検出信号をタイミング制御部３３に出力する。タイミング制御部３３は、ラベル検出部１６からのラベル検出信号が入力されると、ラベル検出部１６からのラベル検出信号の入力からラベル送り出し調整ボリューム２６によって設定された第１搬送量Ｘに応じた所定のタイミングで駆動制御部３４への駆動信号の出力を停止する。駆動信号の出力を停止されると、駆動制御部３４は、駆動モータ１７の駆動を停止して第１搬送ローラ１２の回転を停止させる。これにより、図５（ａ）に示すように、ラベル１は、ラベル検出部１６によってラベル１の先端が検出されてからラベル送り出し調整ボリューム２６によって設定された第１搬送量Ｘ分搬送されて停止し（ステップＡ３）、剥離板１４から突出される。従って、ラベル１の剥離板１４（帯状台紙２）からの突出量は、第１搬送量Ｘによって決めることができ、ラベル送り出し調整ボリューム２６によって第１搬送量Ｘを適宜設定することにより、ラベル１の突出量を所望の値にすることができる。なお、駆動制御部３４への駆動信号の出力を停止するタイミングは、時間によって管理しても良く、また、駆動モータ１７がステッピングモータである場合には、ステップ数で管理しても良い。
【００２２】
次に、ラベル検出部１６は、ラベル１の除去を監視しており（ステップＡ４）、作業者によって供給されたラベル１が除去されたことを検出すると、ラベル１が除去されたことを示すラベル除去信号を駆動制御部３４に出力する。タイミング制御部３３は、ラベル検出部１６からのラベル除去信号が入力されると、ラベル検出部１６からのラベル除去信号の入力から停止位置調整ボリューム３０によって設定された第２搬送量Ｙに応じた所定のタイミングで駆動制御部３４への駆動信号の出力を停止する。駆動信号の出力を停止されると、駆動制御部３４は、駆動モータ１７の駆動を停止して第１搬送ローラ１２の回転を停止させる。これにより、図５（ｂ）に示すように、次のラベル１は、停止位置調整ボリューム３０によって設定された第２搬送量Ｙ分搬送されて停止する（ステップＡ５）。従って、印字位置Ｐに停止する箇所を第２搬送量Ｙによって決めることができ、停止位置調整ボリューム３０によって第２搬送量Ｙを適宜設定することにより、ラベル１の所望の箇所を印字位置Ｐに停止させることができる。
【００２３】
なお、図５（ｂ）に示すラベル１を第２搬送量Ｙ分搬送させて停止させた状態において、停止位置調整ボリューム３０の操作とラベル１の搬送とを連動させるようにすると好適である。すなわち、停止位置調整ボリューム３０を操作して変化した第２搬送量Ｙの変化量をタイミング制御部３３から駆動制御部３４に入力し、駆動制御部３４は、駆動モータ１７の駆動を制御して第２搬送量Ｙの変化量分、ラベル１を搬送させる。これにより、実際の印字位置を確認しながら印字位置を簡単に調整することができる。
【００２４】
次に、作業者がスタンプ２８を手操作で押し下げて、帯状台紙２に仮着されているラベル１に印字が行われると、下位置スイッチ３２が押下された後に、上位置スイッチ３１が押下される。タイミング制御部３３は、下位置スイッチ３２の押下に引き続く上位置スイッチ３１の押下を、搬送再開指示として監視しており（ステップＡ６）、下位置スイッチ３２の押下に引き続いて上位置スイッチ３１が押下されると、搬送再開指示として認識し、駆動制御部３４に駆動信号を出力し、駆動制御部３４は、タイミング制御部３３からの駆動信号に基づいて駆動モータ１７を駆動して第１搬送ローラ１２を回転させ、帯状台紙２の搬送を再開してステップＡ１の処理に戻る。印字が施されたラベル１は、図５（ｃ）に示すように、ラベル検出部１６によってラベル１の先端が検出されてからラベル送り出し調整ボリューム２６によって設定された第１搬送量Ｘ分送り出された状態で、剥離板１４から突出される。なお、本実施の形態では、スタンプ２８による印字動作を搬送再開のタイミングとしたが、搬送再開を指示する搬送再開スイッチを新たに設け、作業者が搬送再開スイッチを用いて搬送再開を指示するようにしても良い。
【００２５】
以上説明したように、本実施の形態によれば、ラベル検出部１６によってラベル１の先端が検出されると、ラベル検出部１６によってラベル１の先端が検出されてからラベル送り出し調整ボリューム２６によって設定された第１搬送量Ｘ分搬送された時に駆動モータ１７の駆動による帯状台紙２の搬送を停止させると共に、ラベル検出部１６によってラベル１の除去が検出されると、駆動モータ１７の駆動による帯状台紙２の搬送を再開させ、ラベル検出部１６によってラベル１の除去が検出されてから停止位置調整ボリューム３０によって設定された第２搬送量Ｙ分搬送された時に駆動モータ１７の駆動による帯状台紙２の搬送を停止させるように構成することにより、ラベル送り出し調整ボリューム２６を調整してラベル１の突出量を設定した上で、停止位置調整ボリューム３０を調整してラベル１を任意の位置に停止させるように設定することができるため、剥離装置１０と印字機構（スタンプ２８）との相対位置をラベル連続体３の搬送方向にずらすための調整機構を必要せず、ラベル１の突出量に影響を与えることなく、印字機構（スタンプ２８）による印字位置をラベルの全長に亘って設定することができるという効果を奏する。
【００２６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２７】
【図１】本発明に係る剥離装置の実施の形態の構成を示す概略構成図である。
【図２】本発明に係る剥離装置の実施の形態の外観構成を示す斜視図である。
【図３】図１に示す駆動モータの駆動を制御する制御部の構成を示す図である。
【図４】本発明に係る剥離装置の実施の形態の動作を説明するためのフローチャートである。
【図５】図２に示す停止位置調整ボリュームによって設定される停止位置を説明するための説明図である。
【符号の説明】
【００２８】
１  ラベル
２  帯状台紙
３  ラベル連続体
１０  剥離装置
１１  用紙供給軸
１２  第１搬送ローラ
１３  第２搬送ローラ
１４  剥離板（剥離手段）
１５  押圧ローラ
１６  ラベル検出部（ラベル検出手段）
１７  駆動モータ（搬送手段）
１８  制御部
１９、２０  ガイドローラ
２１  筐体
２２  上面カバー
２３  前面カバー
２４  帯状台紙排出口
２５  電源スイッチ
２６  ラベル送り出し調整ボリューム
２７  表示部
２８  スタンプ（印字手段）
２９  スタンプフォルダ
３０  停止位置調整ボリューム
３１  上位置スイッチ
３２  下位置スイッチ
３３  タイミング制御部
３４  駆動制御部
【図１】
2006306467.tif 000003
【図２】
2006306467.tif 000004
【図３】
2006306467.tif 000005
【図４】
2006306467.tif 000006
【図５】
2006306467.tif 000007